(57)【要約】【課題】カラスなどの鳥類、犬や猫などの動物の侵入によりゴミを周囲に撒き散らかすことを確実に防止するとともに、設置と撤去が容易に行えるようにしたカラス防護用ネット保護具を提供することを目的とする。【解決手段】相隣接する３本のメイン支柱（１７、２３）を横バー（２０、２５）で結合して開閉脚自在に構成した第一枠体（１３）と、該第一枠体（１３）と離間した対向位置に設けられて該第一枠体（１３）と同一構成を成す第二枠体（１５）と、該第一枠体（１３）と該第二枠体（１５）間で相隣接するメイン支柱（１７、２３）同士を屈曲自在な横バー（２７）で結合して第一骨組み枠体（３）とし、該第一骨組み枠体（３）の側面部と上面部をネット（５、７）で覆うようにした。【選択図】　　　　図１
2004026360.tif 000002
【特許請求の範囲】
【請求項１】
相隣接する３本のメイン支柱を横バーで結合して開閉脚自在に構成した第一枠体と、該第一枠体と離間した対向位置に設けられて該第一枠体と同一構成を成す第二枠体と、該第一枠体と該第二枠体間で相隣接するメイン支柱同士を屈曲自在な横バーで結合して第一骨組み枠体とし、該第一骨組み枠体の側面部と上面部をネットで覆うようにしたことを特徴とするカラス防護用ネット保護具。
【請求項２】
少なくとも８本以上のメイン支柱から構成されるカラス防護用ネット保護具であって、相隣接する３本のメイン支柱を横バーで結合して開閉脚自在に構成した第一枠体と、該第一枠体と離間した対向位置に設けられて該第一枠体と同一構成を成す第二枠体と、開脚時の該第一枠体と該第二枠体間の相隣接するメイン支柱間に位置して屈曲自在な横バーで結合した中間支柱と、該中間支柱同士の上部を屈曲自在な横バーで結合して第二骨組み枠体とし、該第二骨組み枠体の側面部と上面部をネットで覆うようにしたことを特徴とするカラス防護用ネット保護具。
【請求項３】
該第一骨組み枠体および該第二骨組み枠体の周辺側面部の下方部分をビニールシートで覆い、残りの周辺側面部の上方部分をネットで覆うようにしたことを特徴とする請求項１および請求項２記載のカラス防護用ネット保護具。
【請求項４】
該中間支柱と、該中間支柱と相隣接する該メイン支柱とを結合する該横バーの位置をゴミの出し入れをし易いように略中央部近傍にしたことを特徴とする請求項１および請求項２記載のカラス防護用ネット保護具。
【請求項５】
該第一骨組み枠体および該第二骨組み枠体の上面部を開放自在なネットにしたことを特徴とする請求項１および請求項２記載のカラス防護用ネット保護具。
【請求項６】
該中間支柱と相隣接する該メイン支柱間の側面最下部にロープを張架させるとともに、該ロープ上に離間して錘を装着したことを特徴とする請求項１記載および請求項２記載のカラス防護用ネット保護具。
【請求項７】
該第一枠体と該第二枠体の開閉脚の中心をなす該メイン支柱と相隣接する該メイン支柱間の上下をそれぞれ該横バーで結合して接離自在とし、中心をなす該メイン支柱上で回動自在に結合する上部横バー同士の接合面を凹凸形状としたことを特徴とする請求項１記載および請求項２記載のカラス防護用ネット保護具。
【請求項８】
該第一枠体と該第二枠体の相隣接する該メイン支柱同士を結合する該横バーを屈曲自在な構成とし、該横バー同士の屈曲部分を凹凸形状としたことを特徴とする請求項１記載のカラス防護用ネット保護具。
【請求項９】
該中間支柱同士の上部を該横バー同士で結合した屈曲自在な構成とし、該横バー同士の屈曲部分を凹凸形状としたことを特徴とする請求項２記載のカラス防護用ネット保護具。
【請求項１０】
該中間支柱と該横バーとの結合部分を着脱自在にしたことを特徴とする請求項２記載のカラス防護用ネット保護具。
【発明の詳細な説明】
【０００１】
【発明が属する技術分野】
本発明は、マンション、アパート等の集合住宅および飲食店のゴミ置き場などにおいて、カラスなどの鳥類、犬や猫などの動物の侵入により生じるゴミの散乱とそれによる環境汚染の害を防止するカラス防護用ネット保護具に関するものである。
【０００２】
【従来の技術】
従来から、各家庭内等から日常的にでる生ゴミを含むゴミは、一般的には合成樹脂製のゴミ袋に入れられ、路上、道路脇等に設けられた集積場所に露出した状態で置くか、または地面に設置されている固定型のゴミ収容容器の中に置かれており、ゴミ収集車が回収にくるまで、その場所に放置されている。
【０００３】
また、マンション、アパート等の集合住宅および飲食店などでは、囲いつきのゴミ収集場所が設けられており、この場所にゴミが集められている。このようなゴミ収集場所の囲いは、完全に覆われていることが殆どなく、このため、ゴミ収集車が来るまでにカラス、猫、野良犬等の小動物にゴミを荒らされたり、ゴミを周囲に撒き散らかされてしまうことが問題となっていた。
【０００４】
【発明が解決しようとする課題】
かかるカラスなどの鳥類、犬や猫などの動物の侵入により生じるゴミの散乱とそれによる環境汚染を防止するために、収集されたゴミ入り袋の上を直接ネットで覆った場合は、ネットの上から直接ゴミをつついて引っぱり出すといった問題があった。また、ネットの設置が確実に実施されないことにより、ゴミがネットからはみ出したり散乱するなど、ゴミ収集所が不衛生で美観を損なうといった問題があった。
【０００５】
さらにゴミ収集所にゴミを出す家庭などのゴミ集積者や集積されたゴミを回収・運搬する側のゴミ回収者にとっても、床面に接するネットの裾を持ち上げてネットを覆ったり、逆にネットを取り去ったりする際に、腰を屈めた状態で作業をするといった問題があった。
【０００６】
本発明は、上記事情に鑑みてなされたものであり、カラスなどの鳥類、犬や猫などの動物の侵入によりゴミを周囲に撒き散らかすことを確実に防止するとともに、立ったままの状態で設置と撤去が容易に行えるようにしたカラス防護用ネット保護具を提供することを目的とする。
【０００７】
【課題を解決するための手段】
上記課題を解決するために、本発明に関する第１の発明では、相隣接する３本のメイン支柱を横バーで結合して開閉脚自在に構成した第一枠体と、該第一枠体と離間した対向位置に設けられて該第一枠体と同一構成を成す第二枠体と、該第一枠体と該第二枠体間で相隣接するメイン支柱同士を屈曲自在な横バーで結合して第一骨組み枠体とし、該第一骨組み枠体の側面部と上面部をネットで覆うようにした。
【０００８】
第２の発明では、少なくとも８本以上のメイン支柱から構成されるカラス防護用ネット保護具であって、相隣接する３本のメイン支柱を横バーで結合して開閉脚自在に構成した第一枠体と、該第一枠体と離間した対向位置に設けられて該第一枠体と同一構成を成す第二枠体と、開脚時の該第一枠体と該第二枠体間の相隣接するメイン支柱間に位置して屈曲自在な横バーで結合した中間支柱と、該中間支柱同士の上部を屈曲自在な横バーで結合して第二骨組み枠体とし、該第二骨組み枠体の側面部と上面部をネットで覆うようにした。
【０００９】
また、第１および第２の発明を主体とする第３の発明では、該第一骨組み枠体および該第二骨組み枠体の周辺側面部の下方部分をビニールシートで覆い、残りの周辺側面部の上方部分をネットで覆うようにした。
【００１０】
第１および第２の発明を主体とする第４の発明では、該中間支柱と、該中間支柱と相隣接する該メイン支柱とを結合する該横バーの位置をゴミの出し入れをし易いように略中央部近傍にした。
【００１１】
第１および第２の発明を主体とする第５の発明では、該第一骨組み枠体および該第二骨組み枠体の上面部を開放自在なネットにした。さらに、第１および第２の発明を主体とする第６の発明では、該中間支柱と相隣接する該メイン支柱間の側面最下部にロープを張架させるとともに、該ロープ上に離間して錘を装着した。
【００１２】
第１および第２の発明を主体とする第７の発明では、該第一枠体と該第二枠体の開閉脚の中心をなす該メイン支柱と相隣接する該メイン支柱間の上下をそれぞれ該横バーで結合して接離自在とし、中心をなす該メイン支柱上で回動自在に結合する上部横バー同士の接合面を凹凸形状とした。
【００１３】
第１の発明を主体とする第８の発明では、該第一枠体と該第二枠体の相隣接する該メイン支柱同士を結合する該横バーを屈曲自在な構成とし、該横バー同士の屈曲部分を凹凸形状とした。
【００１４】
第２の発明を主体とする第９の発明では、該中間支柱同士の上部を該横バー同士で結合した屈曲自在な構成とし、該横バー同士の屈曲部分を凹凸形状とした。また、第２の発明を主体とする第１０の発明では、該中間支柱と該横バーとの結合部分を着脱自在にした。
【００１５】
【発明の実施の形態】
以下に、本発明に係るカラス防護用ネット保護具の具体的実施形態を図面を参照して詳細に説明する。図１は本発明のメイン支柱を６本用いた場合のカラス防護用ネット保護具の全体を示す鳥瞰図、図２は図１の上面部に張架したネットを取り外した状態の鳥瞰図、図３は第一骨組み枠体のみの鳥瞰図、図４は本発明のメイン支柱を８本用いた場合のカラス防護用ネット保護具の全体を示す鳥瞰図、図５は図４の上面部に張架したネットを取り外した状態の鳥瞰図、図６は第二骨組み枠体のみの鳥瞰図、図７は図６に示す第二枠体を閉脚した状態を示す鳥瞰図、図８は骨組み枠体の最下部に張架されたロープに錘を取り付た要部正面図、図９は凹凸形状を有する横バーを９０度に開脚した時の鳥瞰図、図１０は凹凸形状を有する横バーを１８０度に開脚した時の鳥瞰図、図１１は横バー間にゴムリングを間挿した場合の鳥瞰図、図１２は中間支柱と横バーとの結合部分を着脱自在にした場合の鳥瞰図である。
【００１６】
本発明のカラス防護用ネット保護具は、メイン支柱の数を６本とする場合と、または８本とする場合の２つの実施例について述べる。
【００１７】
［実施例１］
まず、メイン支柱を６本とするカラス防護用ネット保護具１について、図１〜図３を用いて説明する。カラス防護用ネット保護具１は、６本のメイン支柱１７、２３、横バー２０、２５および屈曲自在な横バー２７から構成される第一骨組み枠体３、周辺側面部の上方部分を覆ったネット５、上面部のネット７、周辺側面部の下方部分を覆ったビニールシート９および錘１１とから構成される。
【００１８】
メイン支柱１７、２３や横バー２０、２５および屈曲自在な横バー２７などに使用される材質としては、材料が入手し易くかつ加工し易いことから塩化ビニール製パイプを組み合わせたものが望ましいが、他に鉄製、ステンレススチール製、市販されているアングルなどを使用することもできる。
【００１９】
第一骨組み枠体３の概略の寸法は次のとおり。この寸法は、あくまでも一例であり、各寸法の長さは、自由に設定できる。なお、第二骨組み枠体３３の寸法は、第一骨組み枠体３の概略の寸法に類しているため、省略する。
（１）メイン支柱１７、２３の高さ＝約９０ｃｍ
（２）第一枠体１３の幅＝約５０ｃｍ
（３）第二枠体１５の幅＝約５０ｃｍ
（４）第一枠体１３と第二枠体１５間の相隣接するメイン支柱間の長さ＝約１００ｃｍ
【００２０】
まず、第一骨組み枠体３（図３）は、第一枠体１３、第二枠体１５および第一枠体１３と第二枠体１５を結ぶ屈曲自在な横バー２７（ａ、ｂ）とで構成されている。
【００２１】
第一枠体１３は、３本のメイン支柱１７（ａ、ｂ、ｃ）とこの相隣接する３本のメイン支柱１７（ａ、ｂ、ｃ）を結ぶ直棒型の横バー２０（ａ、ｂ、ｃ、ｄ）とで構成されている。このうち、開閉脚の中心をなすメイン支柱１７ａとメイン支柱１７ａの左右に位置して横バー２０（ａ、ｂ、ｃ、ｄ）で結合されて開閉脚をなすメイン支柱１７（ｂ、ｃ）が配設されている。
【００２２】
メイン支柱１７ａとメイン支柱１７ｂ間の上部と下部は、それぞれ横バー２０ａと横バー２０ｂで回動自在に結合されるとともに、横バー２０ａと横バー２０ｂはメイン支柱１７（ａ、ｂ）に対して上下に移動不可能な構成をなしている。同様にメイン支柱１７ａとメイン支柱１７ｃ間の上部と下部は、それぞれ横バー２０ｃと横バー２０ｄで回動自在に結合されるとともに、横バー２０ｃと横バー２０ｄはメイン支柱１７（ａ、ｃ）に対して上下に移動不可能な構成をなしている。
【００２３】
メイン支柱１７ａ上で結合する横バー２０ａと横バー２０ｃ同士の接合面は図９と図１０に示すように複数の凹凸部２２を刻設することで、任意の所望する位置で凹凸部２２が噛合し確実な開脚が可能となっている。
【００２４】
一方、メイン支柱１７ａ上で結合する横バー２０ｂと横バー２０ｄ同士の接合面は滑らかな摺動をなす構成となっている。なお、３本のメイン支柱１７（ａ、ｂ、ｃ）の最下端部には、このメイン支柱１７（ａ、ｂ、ｃ）を起立可能にするために、円盤状の基盤１６が固着されている。
【００２５】
次に、第二枠体１５について説明する。第二枠体１５は、３本のメイン支柱２３（ａ、ｂ、ｃ）とこの相隣接する３本のメイン支柱２３（ａ、ｂ、ｃ）を結ぶ直棒型の横バー２５（ａ、ｂ、ｃ、ｄ）とで構成されている。このうち、開閉脚の中心をなすメイン支柱２３ａとメイン支柱２３ａの左右に位置して横バー２５（ａ、ｂ、ｃ、ｄ）で結合されて開閉脚をなすメイン支柱２３（ｂ、ｃ）が配設されている。
【００２６】
メイン支柱２３ａとメイン支柱２３ｂ間の上部と下部は、それぞれ横バー２５ａと横バー２５ｂで回動自在に結合されるとともに、横バー２５ａと横バー２５ｂはメイン支柱２３（ａ、ｂ）に対して上下に移動不可能な構成をなしている。同様にメイン支柱２３ａとメイン支柱２３ｃ間の上部と下部は、それぞれ横バー２５ｃと横バー２５ｄで回動自在に結合されるとともに、横バー２５ｃと横バー２５ｄはメイン支柱２３（ａ、ｃ）に対して上下に移動不可能な構成をなしている。
【００２７】
メイン支柱２３ａ上で結合する横バー２５ａと横バー２５ｃ同士の接合面は図９と図１０に示すように複数の凹凸部２２を刻設することで、任意の所望する位置で凹凸部２２が噛合し確実な開脚が可能となっている。
【００２８】
一方、メイン支柱２３ａ上で結合する横バー２５ｂと横バー２５ｄ同士の接合面は滑らかな摺動をなす構成となっている。なお、３本のメイン支柱２３（ａ、ｂ、ｃ）の最下端部には、このメイン支柱２３（ａ、ｂ、ｃ）を起立可能にするために、円盤状の基盤２１が固着されている。
【００２９】
次に、第一枠体１３と第二枠体１５を結ぶ屈曲自在な横バー２７（ａ、ｂ）について説明する。図３に示すカラス防護用ネット保護具１の手前から横バー２７ａ上を経由させてゴミの出し入れが容易に行えるように、メイン支柱１７ｃとメイン支柱２３ｃの略中央部近傍に位置させ、その両端部はそれぞれメイン支柱１７ｃとメイン支柱２３ｃに回動自在に結合されている。
【００３０】
また、メイン支柱１７ｂとメイン支柱２３ｂの上部間にも両者を結合する屈曲自在な横バー２７ｂが配設してある。この横バー２７（ａ、ｂ）は、それぞれ２本の横バー２７ａ１、２７ａ２と、横バー２７ｂ１、２７ｂ２とで構成されている。
【００３１】
横バー２７ａを構成する横バー２７ａ１、２７ａ２同士の接合面部は、図９と図１０に示すように複数の凹凸を有した凹凸部２２を備えており、所望する位置にて開脚の保持が可能となっている。なお、横バー２７ｂを構成する横バー２７ｂ１、２７ｂ２も横バー２７ａと同様の構成となっている。
【００３２】
カラス防護用ネット保護具１を使用しない場合は、メイン支柱１７ａを中心としてメイン支柱１７ｂと１７ｃとを閉脚する。同様にメイン支柱２３ａを中心としてメイン支柱２３ｂと２３ｃとを閉脚するとともに、収納の際に邪魔にならないように横バー２７（ａ、ｂ）を屈曲させるのである。
【００３３】
骨組み枠体３をカラス防護用ネット保護具１として使用する場合は、図３に示すように第一枠体１３と第二枠体１５をそれぞれ左右対称となるようにくの字状に開脚するとともに、横バー（ａ、ｂ）を折りたたみ状態から最大１８０度まで開脚するのである
【００３４】
骨組み枠体３の周辺側面部の下方部分は、カラスがカラス防護用ネット保護具１中に出されたゴミをつついて、引っぱり出さないように不透明なビニールシート９で覆われている。残りの周辺側面部の上方部分は、ネット５で覆われている。なお、ネット５、７の材質は、市販されているビニール製のネットが好ましい。
【００３５】
また、骨組み枠体３の上面部は、ネット７で覆いカラスの侵入を防止するとともに、ゴミを骨組み枠体３に投入する際は、ネット７の覆いを手で除けるとともに、ゴミを投入し易いようにメイン支柱２３ｃをメイン支柱１７ｃ側に引き寄せてネット５の上面部が少し弛むようにするとよい。ネット７はメイン支柱２３ａの上部に取り付けられたリング６９に接続されており、骨組み枠体３の上面部をネット７で覆わない場合は、図２に示すように骨組み枠体３の側部に位置するようになつている。
【００３６】
横バー２７（ａ、ｂ）の取り付けられたメイン支柱１７ｂとメイン支柱２３ｂ間、およびメイン支柱１７ｃとメイン支柱２３ｃ間の最下部にロープ２９を張架し、このロープ２９上の離間した位置に、鉛で製作された錘１１が装着してあり、カラスがビニールシート９の下端部を潜って骨組み枠体３内に容易に入れないようになっている。
【００３７】
［実施例２］
メイン支柱を８本とするカラス防護用ネット保護具３０について、図４〜図６を用いて説明する。カラス防護用ネット保護具３０は、６本のメイン支柱５０、５３、２本の中間支柱４７、横バー５８、６０および中間支柱４７と第一枠体４３または第二枠体４５とを結ぶ横バー６３と６５から構成される第二骨組み枠体３３、周辺側面部のネット３５、上面部のネット３７、ビニールシート３９および錘４１とから構成される。
【００３８】
まず、第二骨組み枠体３３について述べる。第二骨組み枠体３３は、第一枠体４３、第二枠体４５、一対の中間支柱４７および中間支柱４７の上部同士を着脱する屈曲自在な横バー６７、中間支柱４７と第一枠体４３または第二枠体４５とを結ぶ屈曲自在な横バー６３、６５で構成されている。
【００３９】
第一枠体４３は、相隣接する３本のメイン支柱５０（ａ、ｂ、ｃ）とこの隣接するメイン支柱５０（ａ、ｂ、ｃ）の上部同士を回動自在に結合された直棒型の上部横バー５８（ａ、ｃ）と下部同士を回動自在に結合された直棒型の下部横バー５８（ｂ、ｄ）とで構成されている。
【００４０】
開閉脚の中心をなすメイン支柱５０ａとこのメイン支柱５０ａの左右に位置して横バー５８（ａ、ｂ、ｃ、ｄ）で結合されて開閉脚をなすメイン支柱５０（ｂ、ｃ）が配設されている。
【００４１】
メイン支柱５０ａとメイン支柱５０ｂ間の上部と下部は、それぞれ横バー５８ａと横バー５８ｂで回動自在に結合されるとともに、横バー５８ａと横バー５８ｂはメイン支柱５０ａとメイン支柱５０ｂに対して上下に移動不可能な構成をなしている。
【００４２】
同様にメイン支柱５０ａとメイン支柱５０ｃ間の上部と下部は、それぞれ横バー５８ｃと横バー５８ｄで回動自在に結合されるとともに、横バー５８ｃと横バー５８ｄはメイン支柱５０ａとメイン支柱５０ｃに対して上下に移動不可能な構成をなしている。
【００４３】
メイン支柱５０ａ上部で結合する横バー５８ａと横バー５８ｃ同士の接合面は図９と図１０に示すように複数の凹凸部２２を刻設することで、任意の所望する位置で凹凸部２２が噛合し確実な開脚が可能となっている。
【００４４】
一方、メイン支柱５０ａ下部で結合する横バー５８ｂと横バー５８ｄ同士の接合面は滑らかな摺動をなす構成となっている。なお、３本のメイン支柱５０（ａ、ｂ、ｃ）の最下端部には、このメイン支柱５０（ａ、ｂ、ｃ）を起立可能にするために、円盤状の基盤４８が固着されている。
【００４５】
３本のメイン支柱５０（ａ、ｂ、ｃ）は、１本のメイン支柱５０ａを中心にして残りの２本のメイン支柱５０（ｂ、ｃ）は、開閉脚により接離自在に設けられており、３本のメイン支柱５０（ａ、ｂ、ｃ）は閉時は折りたたみ状態から最大１８０度まで開脚できるようになっている。
【００４６】
次に、第二枠体４５について説明する。第二枠体４５は、３本のメイン支柱５３（ａ、ｂ、ｃ）とこの相隣接する３本のメイン支柱５３（ａ、ｂ、ｃ）を結ぶ直棒型の横バー６０（ａ、ｂ、ｃ、ｄ）とで構成されている。３本のメイン支柱５３（ａ、ｂ、ｃ）のうち、開閉脚の中心をなすメイン支柱５３ａとこのメイン支柱５３ａの左右に位置して横バー６０（ａ、ｂ、ｃ、ｄ）で結合されて開閉脚をなすメイン支柱５３（ｂ、ｃ）が配設されている。
【００４７】
メイン支柱５３ａとメイン支柱５３ｂ間の上部と下部は、それぞれ横バー６０ａと横バー６０ｂで回動自在に結合されるとともに、横バー６０ａと横バー６０ｂはメイン支柱５３ａとメイン支柱５３ｂに対して上下に移動不可能な構成をなしている。
【００４８】
同様にメイン支柱５３ａとメイン支柱５３ｃ間の上部と下部は、それぞれ横バー６０ｃと横バー６０ｄで回動自在に結合されるとともに、横バー６０ｃと横バー６０ｄはメイン支柱５３ａとメイン支柱５３ｃに対して上下に移動不可能な構成をなしている。
【００４９】
メイン支柱５３ａ上部で結合する横バー６０ａと横バー６０ｃ同士の接合面は図９と図１０に示すように複数の凹凸部２２を刻設することで、任意の所望する位置で凹凸部２２が噛合し確実な開脚が可能となっている。
【００５０】
一方、メイン支柱５３ａ下部で結合する横バー６０ｂと横バー６０ｄ同士の接合面は滑らかな摺動をなす構成となっている。なお、３本のメイン支柱５３（ａ、ｂ、ｃ）の最下端部には、このメイン支柱５３（ａ、ｂ、ｃ）を起立可能にするために、円盤状の基盤６８が固着されている。
【００５１】
第一枠体４３と第二枠体４５とは離間した左右対称をなす位置にある。第一枠体４３を構成するメイン支柱５０ｃと第二枠体４５を構成するメイン支柱５３ｃの間に位置する中間支柱４７ａの略中央部近傍同士とを結ぶ横バー６３（ａ１、ａ２、ｂ１、ｂ２）で構成されている。同様に第一枠体４３を構成するメイン支柱５０ｂと第二枠体４５を構成するメイン支柱５３ｂの各々と中間支柱４７ｂの上部同士とを結ぶ横バー６５（ａ１、ａ２、ｂ１、ｂ２）で構成されている
【００５２】
カラス防護用ネット保護具３０を使用しないで片づける時は、第一枠体４３の方は、メイン支柱５０ａを中心としてメイン支柱５０ｂと５０ｃとを閉脚する。同様に第二枠体４５の方も、メイン支柱５３ａを中心としてメイン支柱５３ｂと５３ｃとを閉脚するとともに、収納の際に邪魔にならないように横バー６３（ａ、ｂ）と横バー６５（ａ、ｂ）をそれぞれ屈曲して収納するのである。
【００５３】
骨組み枠体３３をカラス防護用ネット保護具３０として使用する場合は、図６に示すように第一枠体４３と第二枠体４５をそれぞれ左右対称となるようにくの字状に開脚するとともに、横バー６３（ａ、ｂ）と６５（ａ、ｂ）をそれぞれ折りたたみ状態から最大１８０度まで開脚するのである
【００５４】
第一骨組み枠体３の周辺側面部の下方部分は、カラスがカラス防護用ネット保護具１中に出されたゴミをつついて、引っぱり出さないように不透明なビニールシート３９で覆われている。残りの周辺側面部の上方部分は、ネット３５で覆われている。
【００５５】
また、第二骨組み枠体３３の上面部は、ネット３７で覆いカラスの侵入を防止するとともに、ゴミを骨組み枠体３３に投入する際は、ネット３７の覆いを手で除けるとともに、ゴミを投入し易いようにメイン支柱５３ｃを中間支柱４７ａ側に引き寄せてネット３５の上面部が少し弛むようにするとよい。ネット３７はメイン支柱５３ａの上部に取り付けられたリング６９（図５）に接続されており、骨組み枠体３３の上面部をネット３７で覆わない場合は、図５に示すように骨組み枠体３３の側部に位置するようになつている。
【００５６】
また横バー６５（ａ、ｂ）の取り付けられたメイン支柱５０ｂとメイン支柱５３ｂ間、およびメイン支柱５０ｃとメイン支柱５３ｃ間の最下部にそれぞれロープ４２を張架し、このロープ４２上の離間した位置に、鉛で製作された錘４１が装着してあり、カラスがビニールシート３９の下端部を潜って骨組み枠体３３内に容易に入れないようになっている。
【００５７】
中間支柱４７（ａ、ｂ）の上部には、横バー６７（ａ、ｂ）が着脱自在に配設されている。横バー６７（ａ、ｂ）の端部域の側面部には、切り欠状の着脱部材７１（図１２）が固着してあり、中間支柱４７（ａ、ｂ）に対して横バー６７（ａ、ｂ）を自由に着脱可能となっている。なお、２本の中間支柱４７（ａ、ｂ）の最下端部には、この中間支柱４７（ａ、ｂ）を起立可能にするために、円盤状の基盤７４が固着されている。
【００５８】
ゴミの量が少ない場合には、図７は第二枠体４５を折り畳んだ状態にして、第二枠体４５を中間支柱４７（ａ、ｂ）に沿わせるようにして使用することもできる。また、本発明では、横バー６７（ａ、ｂ）の接合部分、メイン支柱５０ａとそれぞれ横バー５８ａと５８ｃとの接合部分、さらにメイン支柱５３ａとそれぞれ横バー６０ａと６０ｃとの接合部分には、図９および図１０に示す凹凸部２２を有する構成としたが、両者の接合部分は、図１１に示すようにゴムリング７３を挿間した構成とすることもできる。
【００５９】
このようなゴムリング７３を挿間する場合には、メイン支柱５３ａと横バー６０ａと６０ｃとの接合部分を上下から締め付けてゴムリング７３との摩擦抵抗により横バー６０ａと６０ｃとの相対動が生じ難いようにすることが望ましい。
【００６０】
実施例１と実施例２では、カラス防護用ネット保護具１，３０に外部からゴミを投入した場合に、カラスがゴミを突ついてゴミが散乱することを防止することを述べたが、下部ビニールシート部分をネットにかえて、見やすくすれば、学校で鶏やうさぎなどの観察を行うための臨時の観察用檻として利用することもできる。
【００６１】
なお、メイン支柱５０ｃと中間支柱４７ａおよびメイン支柱５３ｃと中間支柱４７ａの間には、屈曲自在な横バー６３ａと横バー６３ｂをそれぞれ配設したが、強度が弱い場合のことを考慮して、横バー６３ａと横バー６３ｂの最下部に屈曲自在な横バーをそれぞれ増設してもよい。
【００６２】
【発明の効果】
以上説明したように本発明のカラス防護用ネット保護具によれば、次のような効果を奏する。すなわち、
（１）屈曲自在な横バーを自由に狭めたりすることで、狭い場所にも対応することが出来、また、横バーを増やすことにより、カラス防護用ネット保護具の大きさと形状を自由に設定でき、矩形または正方形から最大略円形形状まで変えることができる。
（２）周辺側面部のネット上かまたはビニールシート上に地元協賛の企業広告看板を取り付けて、得られた費用を地区費に当てることもでき、相乗的な効果が出易い。
（３）仮設ペット用檻や鳥小屋として使用することもできる。
（４）多少傾斜した坂などの場所に設置してもメイン支柱同士かまたはメイン支柱と中間支柱同士が相互に補完し合うため、傾転が防止できる。
【図面の簡単な説明】
【図１】本発明に係るメイン支柱を６本用いた場合のカラス防護用ネット保護具の全体を示す鳥瞰図である。
【図２】図１の上面部に張架したネットを取り外した状態の鳥瞰図である。
【図３】本発明に係る第一骨組み枠体のみの鳥瞰図である。
【図４】本発明に係るメイン支柱を８本用いた場合のカラス防護用ネット保護具の全体を示す鳥瞰図である。
【図５】図４の上面部に張架したネットを取り外した状態の鳥瞰図である。
【図６】第二骨組み枠体のみの鳥瞰図である。
【図７】図６に示す第二枠体を閉脚した状態を示す鳥瞰図である。
【図８】骨組み枠体の最下部に張架されたロープに錘を取り付た要部正面図である。
【図９】凹凸形状を有する横バーを９０度に開脚した時の鳥瞰図である。
【図１０】凹凸形状を有する横バーを１８０度に開脚した時の鳥瞰図である。
【図１１】横バー間にゴムリングを間挿した場合の鳥瞰図である。
【図１２】中間支柱と横バーとの結合部分を着脱自在にした場合の鳥瞰図である。
【符号の説明】
１　　　　カラス防護用ネット保護具
３　　　　第一骨組み枠体
５　　　　ネット（側面部）
７　　　　ネット（上面部）
９　　　　ビニールシート
１１　　　錘
１３　　　第一枠体
１５　　　第二枠体
１６　　　基盤
１７（ａ、ｂ、ｃ）　　メイン支柱
２０（ａ、ｂ、ｃ、ｄ）　　横バー
２１　　　基盤
２２　　　凹凸部
２３（ａ、ｂ、ｃ）　　メイン支柱
２５（ａ、ｂ、ｃ、ｄ）　　横バー
２７（ａ、ｂ）横バー
２７（ａ１、ａ２、ｂ１，ｂ２）　　横バー
２９　　　ロープ
３０　　　カラス防護用ネット保護具
３３　　　　第二骨組み枠体
３５　　　　ネット（側面部）
３７　　　　ネット（上面部）
３９　　　　ビニールシート
４１　　　錘
４２　　　ロープ
４３　　　第一枠体
４５　　　第二枠体
４７（ａ、ｂ）　　中間支柱
４８　　　基盤
５０（ａ、ｂ、ｃ）　　メイン支柱
５３（ａ、ｂ、ｃ）　　メイン支柱
５８（ａ、ｂ、ｃ、ｄ）　　横バー
６０（ａ、ｂ、ｃ、ｄ）　　横バー
６３（ａ、ｂ）　　横バー
６３（ａ１、ａ２、ｂ１、ｂ２）　　横バー
６５（ａ、ｂ）　　横バー
６５（ａ１、ａ２、ｂ１、ｂ２）　　横バー
６７（ａ、ｂ）　　横バー
６８　　　基盤
６９　　　リング
７１　　　着脱部材
７３　　　ゴムリング
７４　　　基盤
【図１】
2004026360.tif 000003
【図２】
2004026360.tif 000004
【図３】
2004026360.tif 000005
【図４】
2004026360.tif 000006
【図５】
2004026360.tif 000007
【図６】
2004026360.tif 000008
【図７】
2004026360.tif 000009
【図８】
2004026360.tif 000010
【図９】
2004026360.tif 000011
【図１０】
2004026360.tif 000012
【図１１】
2004026360.tif 000013
【図１２】
2004026360.tif 000014